(57)【要約】      （修正有）【課題】利用者が意図しない開放を防止する機能を有する蓋体付き容器を提供する。【解決手段】本発明の蓋体付き容器は、容器本体２又は蓋体５のいずれか一方に設けられた長穴２ｈと、他方に設けられた軸５ｊと、容器本体２に設けられた容器側閉塞手段２ｐ、２ｍと、蓋体５に設けられた蓋体側閉塞手段５ｐ、５ｍとを備え、蓋体５は、容器本体２に対して、軸５ｊの周りに回転させることによって開放及び閉塞が可能であり、蓋体５を容器本体２に対して長穴２ｈの長手方向に移動させて、軸５ｊが長穴２ｈにおける長手方向の一方の端部に達したとき、蓋体５は容器側閉塞手段２ｐ、２ｍと蓋体側閉塞手段５ｐ、５ｍとの作用によって容器本体２に対して閉塞可能となり、軸５ｊが長穴２ｈにおける他方の端部に達したとき、蓋体５は容器側閉塞手段２ｐ、２ｍと蓋体側閉塞手段５ｐ、５ｍとの作用によっては閉塞不可能となる。【選択図】図５
2017080324.tif 000002
【特許請求の範囲】
【請求項１】
容器本体又は蓋体のいずれか一方に設けられた長穴と、
他方に設けられた前記長穴に嵌合する軸と、
前記容器本体に設けられた容器側閉塞手段と、
前記蓋体に設けられ、該容器側閉塞手段に作用して前記蓋体を前記容器本体に対して閉塞させる蓋体側閉塞手段と
を備え、
前記蓋体は、前記容器本体に対して、前記軸の周りに回転させることによって開放及び閉塞が可能であり、
前記蓋体を前記容器本体に対して前記長穴の長手方向に移動させて、前記軸が前記長穴における長手方向の一方の端部に達したとき、前記蓋体は前記容器側閉塞手段と前記蓋体側閉塞手段との相互作用によって前記容器本体に対して閉塞可能となり、前記軸が前記長穴における他方の端部に達したとき、前記蓋体は前記容器側閉塞手段と前記蓋体側閉塞手段との相互作用によっては閉塞不可能となることを特徴とする蓋体付き容器。
【請求項２】
前記長穴は、長手方向の両端が拡径されている、請求項１に記載の蓋体付き容器。
【請求項３】
前記容器側閉塞手段及び前記蓋体側閉塞手段は、それぞれ容器側係合部及び蓋体側係合部である、請求項１又は２に記載の蓋体付き容器。
【請求項４】
前記容器側閉塞手段及び前記蓋体側閉塞手段の少なくともいずれか一方は磁石である、請求項１又は２に記載の蓋体付き容器。
【請求項５】
前記容器側閉塞手段及び前記蓋体側閉塞手段はいずれも磁石であり、前記軸が前記長穴における前記他方の端部に達したとき、前記容器側閉塞手段は前記蓋体側閉塞手段に対して反発力を作用させる、請求項４に記載の蓋体付き容器。
【請求項６】
前記蓋体の背面には、前記軸を中心とするＲ面が設けられており、該Ｒ面のうち、前記蓋体の閉塞時において前記容器本体に対向する部分の前記軸の中心からの距離よりも、前記蓋体の開放時において前記容器本体に対向する部分の前記軸の中心からの距離の方が大きい、請求項１乃至５のいずれか一項に記載の蓋体付き容器。
【発明の詳細な説明】
【技術分野】
【０００１】
本発明は、利用者が意図しない開放を防止する機能を有する蓋体付き容器に関する。
【背景技術】
【０００２】
化粧料用のコンパクト容器のような蓋体付き容器においては、蓋体及び容器本体の双方にフック部等の係合部を設けて、保管時に蓋体が開放されないようにしたものが知られている（例えば、特許文献１参照）。
【先行技術文献】
【特許文献】
【０００３】
【特許文献１】特許第５６３９０００号公報
【発明の概要】
【発明が解決しようとする課題】
【０００４】
特許文献１に記載のコンパクト容器では、例えば鞄の中でコンパクト容器が他の荷物とぶつかった場合等に操作部材が利用者の意図に反して押圧され、蓋体が開いてしまうことがあった。
【０００５】
本発明の目的とするところは、利用者が意図しない開放を防止する機能を有する蓋体付き容器を提供することにある。
【課題を解決するための手段】
【０００６】
上記課題を解決するため、本発明に係る蓋体付き容器は、
容器本体又は蓋体のいずれか一方に設けられた長穴と、
他方に設けられた前記長穴に嵌合する軸と、
前記容器本体に設けられた容器側閉塞手段と、
前記蓋体に設けられ、該容器側閉塞手段に作用して前記蓋体を前記容器本体に対して閉塞させる蓋体側閉塞手段と
を備え、
前記蓋体は、前記容器本体に対して、前記軸の周りに回転させることによって開放及び閉塞が可能であり、
前記蓋体を前記容器本体に対して前記長穴の長手方向に移動させて、前記軸が前記長穴における長手方向の一方の端部に達したとき、前記蓋体は前記容器側閉塞手段と前記蓋体側閉塞手段との相互作用によって前記容器本体に対して閉塞可能となり、前記軸が前記長穴における他方の端部に達したとき、前記蓋体は前記容器側閉塞手段と前記蓋体側閉塞手段との相互作用によっては閉塞不可能となることを特徴とする。
【０００７】
また、前記長穴は、長手方向の両端が拡径されていることが好ましい。
【０００８】
また、前記容器側閉塞手段及び前記蓋体側閉塞手段は、それぞれ容器側係合部及び蓋体側係合部であることが好ましい。
【０００９】
また、前記容器側閉塞手段及び前記蓋体側閉塞手段の少なくともいずれか一方は磁石であることが好ましい。
【００１０】
また、前記容器側閉塞手段及び前記蓋体側閉塞手段はいずれも磁石であり、前記軸が前記長穴における前記他方の端部に達したとき、前記容器側閉塞手段は前記蓋体側閉塞手段に対して反発力を作用させることが好ましい。
【００１１】
また、前記蓋体の背面には、前記軸を中心とするＲ面が設けられており、該Ｒ面のうち、前記蓋体の閉塞時において前記容器本体に対向する部分の前記軸の中心からの距離よりも、前記蓋体の開放時において前記容器本体に対向する部分の前記軸の中心からの距離の方が大きいことが好ましい。
【発明の効果】
【００１２】
本発明によれば、利用者が意図しない開放を防止する機能を有する蓋体付き容器を提供することができる。
【図面の簡単な説明】
【００１３】
【図１】本発明の第１実施形態である蓋体付き容器の保管時における（ａ）平面図、（ｂ）背面図、（ｃ）側面図である。
【図２】（ａ）は、図１（ａ）のＡ−Ａ断面における拡大断面図であり、（ｂ）は、図１（ａ）のＢ−Ｂ断面における拡大断面図であり、（ｃ）は、図１（ａ）の磁石２ｍ、５ｍ部分の拡大図である。
【図３】本発明の第１実施形態である蓋体付き容器の蓋体スライド時における（ａ）平面図、（ｂ）側面図である。
【図４】（ａ）は、図３（ｂ）における軸、長穴部分の拡大図であり、（ｂ）は、図３（ａ）の磁石２ｍ、５ｍ部分の拡大図であり、（ｃ）は、図３（ａ）のＣ−Ｃ断面における拡大断面図である。
【図５】本発明の第１実施形態である蓋体付き容器の蓋体開放時における（ａ）平面図、（ｂ）側面図である。
【図６】図５（ａ）のＤ−Ｄ断面における拡大断面図である。
【図７】本発明の第２実施形態である蓋体付き容器の蓋体スライド時における軸、長穴部分の拡大図である。
【図８】（ａ）は、図７のＥ−Ｅ断面における拡大断面図であり、（ｂ）は、（ａ）において蓋体を開放した状態を示す図である。
【発明を実施するための形態】
【００１４】
以下、図面を参照して、本発明の第１実施形態である蓋体付き容器１を詳細に説明する。
【００１５】
図１は、本実施形態に係る蓋体付き容器１の保管時における状態を示す図である。なお、本明細書、特許請求の範囲、要約書および図面では、フック部２ｐ、５ｐ等が配置されている側（図１（ａ）における下方向）を前方とし、軸５ｊ、長穴２ｈ等が配置されている側（図１（ａ）における上方向）を後方とし、紙面に垂直な上向き方向を上方とする。本実施形態に係る蓋体付き容器１は、後述する凹部２ａを備える容器本体２と、当該容器本体２に対して軸５ｊによって連結された蓋体５とを備える。本実施形態では、蓋体付き容器１は化粧料用コンパクト容器を想定しており、容器本体２、及び蓋体５は、それぞれ合成樹脂によって形成されている。しかし、蓋体付き容器１は金属等の他の材料を用いて構成してもよい。
【００１６】
図１（ａ）に示すように、容器本体２は、上面視で矩形形状を有し、後述するように化粧料等の内容物を収容する凹部２ａ（図１（ａ）には図示しない）を有している。容器本体２は、後端中央位置において上方に延びる連結部２ｂを有しており、当該連結部２ｂの側面には、長穴２ｈが左右に１箇所ずつ設けられている。なお、本実施形態において、長穴２ｈは、図１（ｃ）に示すように長軸が前後方向に延びるように形成され、また、図２（ｂ）に示すように長手方向の端部２ｈ1が拡径されている。容器本体２の前端近傍には、図１（ａ）に示すようにフック部２ｐが設けられている。また、フック部２ｐの左右両側には、磁石２ｍが配置されている。更に、容器本体２の背面には、図１（ｂ）及び図２（ａ）に示すように、利用者が容器本体２を保持するための指掛け２ｆが設けられている。
【００１７】
蓋体５は容器本体２と同様に上面視で矩形形状を有しており、図１（ｃ）に示すように、保管時において容器本体２の上面を覆っている。後述するように、蓋体５の裏面には、鏡５ａ（図１（ａ）には図示しない）が設置されている。また、蓋体５後端の左右両側には、上述の連結部２ｂが間に収容される２本のアーム部５ｂが設けられている。そして、アーム部５ｂの側面には、軸穴５ｈが貫通穴として設けられており、軸穴５ｈには、蓋体５と容器本体２とを回動自在に連結するための軸５ｊが圧入によって固定されている。そして、軸５ｊの先端は上述の長穴２ｈに挿入されている。ここで、軸５ｊは長穴２ｈ内で回転可能となる嵌め合いで形成されているため、蓋体５は、容器本体２に対して軸５ｊを中心に回転することが可能となる。また、軸５ｊが長穴２ｈ内を長手方向に移動することによって、蓋体５は、容器本体２に対して前後方向（図１（ａ）の上下方向）にスライドすることができる。
【００１８】
なお、先述のように、容器本体２に設けられた長穴２ｈは、図２（ｂ）に示すように長手方向の端部２ｈ1が拡径されている。そして、長穴２ｈの端部２ｈ1以外の部分は、軸５ｊが通過するのに所定の抵抗力を要するように形成されている。従って、利用者は、図１（ａ）〜（ｃ）の保管時の状態から、後述する図３（ａ）（ｂ）に示す蓋体スライド時の状態に移行するために、蓋体５に対して所定のスライド力を作用させる必要がある。このため、利用者が意図しない蓋体５のスライドを防止することができる他、利用者が蓋体５のスライドが行われたか否かを正確に認識することができる。なお、長穴２ｈには、必ずしも拡径された端部２ｈ1を設ける必要はない。
【００１９】
本実施形態において、軸５ｊは、耐久性等を考慮してステンレス等の金属材料を用いているが、この態様には限定されず、合成樹脂、セラミック等を用いてもよい。また、軸５ｊは、蓋体５と一体成形されていてもよい。また、本実施形態では、軸５ｊが蓋体５に固定され、容器本体２に長穴２ｈを設けるように構成したが、この態様には限定されず、軸を容器本体２側に設ける一方、長穴を蓋体５側に設けてもよい。この場合にも、軸の材料に様々な材料を用い得ること、及び軸を容器本体２と一体成形し得ることには変わりがない。
【００２０】
蓋体５の前端近傍の裏面には、図１（ａ）に破線で示すようにフック部５ｐが設けられている。フック部５ｐは、図１（ａ）の保管時状態において、容器本体２に設けられたフック部２ｐと係合可能であり、この係合によって、蓋体５は、容器本体２の上面を閉塞した状態を維持することができる。
【００２１】
また、図１（ａ）に示すように、フック部５ｐの左右両側には、磁石５ｍが配置されている。保管時における、容器本体２に設けられた磁石２ｍ、及び蓋体５に設けられた磁石５ｍの配置を図２（ｃ）に詳細に示す。なお、図２（ｃ）では、蓋体５のうち磁石５ｍ以外は図示しておらず、磁石２ｍ、５ｍの相対位置を示している。磁石２ｍ、５ｍは、図に示すようにいずれも前後方向に着磁されており、保管時において、容器本体２側の磁石２ｍのＮ極が、蓋体５側の磁石５ｍのＳ極と隣接するように配置されている。これによって、保管時には、磁石２ｍと磁石５ｍとが引き合うため、蓋体５は磁力によって容器本体２に引き寄せられて閉塞状態を維持することができる。
【００２２】
次に、本実施形態に係る蓋体付き容器１を図３〜図４に示す蓋体スライド時の状態に移行させた場合について説明する。
【００２３】
図３（ａ）、（ｂ）は、図１（ａ）〜（ｃ）に示す保管時の状態から蓋体５にスライド力を作用させ、容器本体２に対して蓋体５を前方へとスライドさせた、蓋体スライド時の状態を示す図である。保管時の状態から蓋体スライド時の状態に移行させると、長穴２ｈに挿入されている軸５ｊが、後方の端部２ｈ1から前方の端部２ｈ1へと移動する（図４（ａ）、（ｃ）参照）。この間に、利用者は所定の抵抗力に抗して蓋体５にスライド力を作用させるため、蓋体５のスライドがなされたことを確実に認識することができる。
【００２４】
蓋体付き容器１が蓋体スライド時の状態に移行すると、図３（ａ）に示すように、蓋体５側のフック部５ｐは容器本体２側のフック部２ｐに対して前方に移動して離間する。これによって、容器本体２側のフック部２ｐと蓋体５側のフック部５ｐとの係合が外れる。なお、フック部２ｐ、５ｐは、上下方向の引っ張り力に対しては係合状態を維持し、前後方向の引っ張り力に対しては係合状態が容易に外れるような構成を有することが望ましい。このような構成を採用することによって、保管時には蓋体５の閉塞状態を確実に維持しつつ、利用者が蓋体５を開放するために蓋体５をスライドさせたときには、速やかにフック部２ｐ、５ｐの係合が外れて蓋体スライド時の状態へと移行させることができる。
【００２５】
また、蓋体付き容器１が蓋体スライド時の状態に移行すると、容器本体２側の磁石２ｍと蓋体５側の磁石５ｍとが、図４（ｂ）に示すように上面視で重なり合う。なお、図４（ｂ）では、蓋体５のうち磁石５ｍ以外は図示しておらず、磁石２ｍ、５ｍの相対位置を示している。このとき、磁石２ｍのＮ極と磁石５ｍのＮ極とが上下に重なり合い、同様に磁石２ｍのＳ極と磁石５ｍのＳ極とが上下に重なり合うため、両磁石２ｍ、５ｍは上下方向に反発し合う。これによって、蓋体５に対して、容器本体２から離間する方向に磁力が作用するため、蓋体５の前端部分が容器本体２から浮き上がる。従って、利用者は蓋体５の前端部分を把持して、容易に蓋体５を開放状態へと移行させることができる。
【００２６】
なお、図４（ｂ）において、容器本体２側の磁石２ｍと、蓋体５側の磁石５ｍとは、上面視で前後方向に僅かにずれているが、両磁石２ｍ、５ｍを図示するためにこのように位置ずれを生じさせて図示している。従って、実際に位置ずれが生じている必要はなく、位置ずれが無い場合が最も大きい反発力が得られるため望ましい。
【００２７】
本実施形態では、容器本体２と蓋体５の双方に磁石２ｍ、５ｍを設けて、保管時には磁石２ｍ、５ｍが引き合い、蓋体スライド時には磁石２ｍ、５ｍが反発し合うように構成したが、この態様には限定されない。例えば、磁石２ｍ、５ｍが保管時にのみ引き合い、蓋体スライド時には両者の距離が離れることにより相互作用しないようにしてもよい。また、磁石２ｍ、５ｍの一方を鉄片等の磁性体材料で置き換え、保管時にのみ磁石と鉄片とが引き合い、蓋体スライド時には相互作用しないようにしてもよい。更に、磁石２ｍ、５ｍが保管時には相互作用せず、蓋体スライド時にのみ反発力を作用するようにしてもよい。なお、保管時、又は蓋体スライド時のいずれか一方のみで磁力を相互作用させる場合には、磁石の着磁方向も限定されず、左右方向、又は上下方向に着磁するようにしてもよい。
【００２８】
また、本実施形態では、保管時にフック部２ｐ、５ｐが係合すると共に磁石２ｍ、５ｍが引き合うように構成したが、この構成に限定されず、フック部２ｐ、５ｐを設けないで、磁石２ｍ、５ｍが引き合うことのみによって蓋体５の閉塞状態を維持するようにしてもよい。また、磁石２ｍ、５ｍを設けずに、保管時にフック部２ｐ、５ｐが係合することのみによって蓋体５の閉塞状態を維持するようにしてもよい。
【００２９】
次に、本実施形態に係る蓋体付き容器１を図５〜図６に示す蓋体開放時の状態に移行させた場合について説明する。なお、本明細書において、蓋体開放時とは、蓋体付き容器１を使用するために、容器本体２に対して蓋体５を少なくとも９０度以上開放した状態を指すものとする。従って、先述のように磁力によって蓋体５が浮いた状態等は蓋体開放時には含まない。
【００３０】
図５（ａ）、（ｂ）は、図３（ａ），（ｂ）の蓋体スライド時の状態から利用者が蓋体５の前端部分を把持する等して持ち上げ、軸５ｊ周りに１８０度回転させて開放させた状態を示している。先述のように、容器本体２の上面には、凹部２ａが設けられている。本実施形態において、凹部２ａは、容器本体２と同様に合成樹脂で形成された容器本体２とは別体の中皿部材として設けられており、その凹所には、ファンデーション等の図示しない内容物を収容可能である。なお、凹部２ａは、合成樹脂以外の材料によって構成してもよいし、容器本体２に一体成形することにより設けてもよい。
【００３１】
また、先述のように、蓋体５の裏面には鏡５ａが配置されている。鏡５ａは、利用者が鏡５ａを見ながら凹部２ａ内の内容物を使用することを想定して設けられている。しかし、蓋体付き容器１はこの態様には限定されず、鏡５ａを配置しないで、凹部２ａのみを有するように構成してもよい。また、凹部２ａを配置しないで、鏡５ａのみを蓋体５に配置してもよい。更に、鏡５ａは容器本体２側に設けてもよい。なお、容器本体２は、凹部２ａに内容物を収容するものに限定されず、例えば、鏡など、蓋体で覆うことによって、脱落、傷、汚れ、及び破損等から保護すべきあらゆるものを収容するものを指すものとする。
【００３２】
図６は、蓋体５の開放時における軸５ｊ及び長穴２ｈの状態を示している。図６は、図４（ｃ）の状態から利用者が軸５ｊを回転中心として蓋体５を１８０度回転させた状態である。長穴２ｈは、端部２ｈ1以外の部分は、軸５ｊが通過するのに所定の抵抗力を要するように形成されている。従って、利用者が蓋体５を開放させるために軸５ｊ周りに回転させているときに軸５ｊが長穴２ｈの内部で長手方向にずれて保管時の位置に戻ってしまうことがない。これによって、蓋体５の開放動作を安定させることができる。
【００３３】
上述のように、本実施形態によれば、容器本体２の連結部２ｂの左右側面に長穴２ｈを設けると共に、蓋体５側に蓋体開閉時の回転中心となる軸５ｊを固定して長穴２ｈに挿入されるように構成した。また、容器本体２と蓋体５にフック部２ｐ、５ｐを設けて軸５ｊが長穴２ｈの一方の端部２ｈ1にあるとき（保管時）にフック部２ｐ、５ｐ同士が係合して蓋体５の閉塞状態を維持し、軸５ｊが長穴２ｈの他方の端部２ｈ1にあるとき（蓋体スライド時）にフック部２ｐ、５ｐ同士の係合が外れて蓋体５が開放可能となるように構成した。これによって、蓋体５を前方にスライドさせなければ開かないため、利用者が意図しない蓋体５の開放を防止することができる。
【００３４】
また、本実施形態によれば、長穴２ｈは端部２ｈ1が拡径され、長穴２ｈのうち端部２ｈ1以外の部分は、軸５ｊが通過するのに所定の抵抗力を要するように構成した。これによって、利用者が意図しない蓋体５のスライドを防止することができる他、利用者が蓋体５のスライドが行われたか否かを正確に認識することができる。
【００３５】
また、本実施形態によれば、容器本体２側及び蓋体５側に磁石２ｍ、５ｍを配置し、保管時には両磁石２ｍ、５ｍが引き合い、蓋体スライド時には両磁石が反発するように構成した。これによって、保管時には磁石２ｍ、５ｍの吸引力によって蓋体５の閉塞状態を維持することができる一方、蓋体スライド時には、磁石２ｍ、５ｍの反発力によって蓋体５の前端を浮かせることができる。従って、利用者は容易に蓋体５を持ち上げて開放することができる。
【００３６】
次に、本発明の第２実施形態である蓋体付き容器１'を詳細に説明する。
【００３７】
なお、本実施形態に係る蓋体付き容器１'は、アーム部５ｂ'の背面に設けたＲ面の形状、及び容器本体２'に新たにゴムパッド２ｒを設けた他は、第１実施形態に係る蓋体付き容器１と異なる部分が無い。従って、ここでは第１実施形態との相違点に絞って説明する。
【００３８】
第１実施形態の図５（ａ）、（ｂ）及び図６では、蓋体５が容器本体２に対して１８０度開いた状態を示したが、鏡５ａを使用するために蓋体５を任意の角度で保持したい場合がある。本実施形態に係る蓋体付き容器１'は、任意の開放位置で蓋体を制止させるためのフリーストップ機構を設けた一例である。図７には、本実施形態に係る蓋体付き容器１'の蓋体スライド時における、軸５ｊ、長穴２ｈ部分の拡大図を示す。本実施形態では、蓋体スライド時においては、蓋体５'の前方への移動によって軸５ｊの一部分が、容器本体２の上面に設けられたゴムパッド２ｒの上に位置決めされる。
【００３９】
図８（ａ）は、図７のＥ−Ｅ断面による拡大断面図である。蓋体５'のアーム部５ｂ'の背面には、軸５ｊを中心とするＲ面が設けられており、当該Ｒ面の内、蓋体をスライドさせた直後の蓋体５'閉塞時において容器本体２に対向する部分の軸５ｊの中心からの距離ＲCよりも、蓋体開放時（図８（ｂ）参照）において容器本体２に対向する部分の軸５ｊの中心からの距離ＲOの方が大きくなるように構成されている。なお、距離ＲOは、例えば蓋体５'の回動角度を任意に設定した値（例えば９０度）を超える位置で定めることができる。このような構成によって、図８（ａ）に示す蓋体をスライドさせた直後の蓋体５閉塞時において容器本体２に対向するＲ面とゴムパッド２ｒとがちょうど接するような場合には、図８（ｂ）に示す蓋体開放時においてＲ面はゴムパッド２ｒを押圧するため、Ｒ面とゴムパッド２ｒとの間に摩擦力が生じる。従って、利用者は、蓋体５を当該摩擦力に抗して回転させることによって任意の角度で保持して蓋体５の裏面に設けた鏡５ａを使用することが可能になる。
【００４０】
なお、本実施形態では、長穴２ｈは、端部２ｈ1以外の部分は、軸５ｊが通過するのに所定の抵抗力を要するように形成されている。従って、蓋体５の開放時に、軸５ｊが長穴２ｈ内で容易に保管時の位置に戻ることがない。また、軸５ｊの中心位置と、ゴムパッド２ｒよりも後端側における容器本体２の上面との上下方向距離をＲC以上ＲO未満とすることによって、蓋体５の開放時に軸５ｊが保管時の位置に戻らないようにすることができる。従って、保管時の軸５ｊの位置から誤って蓋体５を閉じてフック部２ｐ、５ｐを破損することがない。
【００４１】
上述のように、本実施形態によれば、蓋体５のアーム部５ｂの背面には、軸５ｊを中心とするＲ面が設けられており、Ｒ面のうち、蓋体５の閉塞時において容器本体２に対向する部分の軸５ｊの中心からの距離ＲCよりも、蓋体５の開放時において容器本体２に対向する部分の軸５ｊの中心からの距離ＲOの方が大きくなるように構成した。これによって、利用者は、蓋体５を任意の角度で保持することができるため、鏡５ａの使い勝手が向上する。
【００４２】
なお、上述したところは、本発明の実施形態を示したにすぎず、特許請求の範囲において、種々の変更を加えることができる。そして、そのような構成は本発明の範囲内であると理解すべきである。
【産業上の利用可能性】
【００４３】
本発明は、化粧用コンパクト容器に限定されることなく、さまざまな蓋付き容器に採用することができる。また、本発明の蓋体の構成は、容器に限定されることなく、折り畳み式の（電子）機器等、蓋体と本体部とを有する様々な製品に採用することができる。
【符号の説明】
【００４４】
１，１'      蓋体付き容器
２，２'      容器本体
２ａ    凹部
２ｂ    連結部
２ｆ    指掛け
２ｈ    長穴
２ｈ1   端部
２ｒ    ゴムパッド
２ｍ    マグネット（容器側閉塞手段）
２ｐ    フック部（容器側閉塞手段）
５，５'      蓋体
５ａ    鏡
５ｂ，５ｂ'    アーム部
５ｈ    軸穴
５ｊ    軸
５ｍ    マグネット（蓋体側閉塞手段）
５ｐ    フック部（蓋体側閉塞手段）
ＲC     距離
ＲO     距離
【図１】
2017080324.tif 000003
【図２】
2017080324.tif 000004
【図３】
2017080324.tif 000005
【図４】
2017080324.tif 000006
【図５】
2017080324.tif 000007
【図６】
2017080324.tif 000008
【図７】
2017080324.tif 000009
【図８】
2017080324.tif 000010